(57)【要約】【課題】広範囲で高精度にグラフィックオブジェクトを移動させる。【解決手段】グラフィックオブジェクト移動入力装置１は、光学式ポインティング装置２と、ボタンスイッチ部３と、ボタンスイッチ部３の押下に応じて、光学式ポインティング装置２により検出された指の移動に基づくグラフィックオブジェクトの表示画面上での移動距離よりも長い距離だけグラフィックオブジェクトを表示画面上で移動させるマイコン４とを備える。【選択図】図１
2013191101.tif 000002
【特許請求の範囲】
【請求項１】
使用者の指の移動に応じて表示画面上を移動表示されるグラフィックオブジェクトを移動させるために、前記指に光を照射する光源と、前記指からの反射光を受光する撮像素子とを有して前記指の移動を検出する光学式ポインティング装置と、
前記グラフィックオブジェクトを表示画面上で移動させるためのボタンスイッチと、
前記ボタンスイッチの押下に応じて、前記光学式ポインティング装置により検出された指の移動に基づく前記グラフィックオブジェクトの表示画面上での移動距離よりも長い距離だけ前記グラフィックオブジェクトを表示画面上で移動させる制御手段とを備えたことを特徴とするグラフィックオブジェクト移動入力装置。
【請求項２】
前記ボタンスイッチは、前記グラフィックオブジェクトを表示画面上の第１方向に移動させるための第１スイッチと、前記第１方向と９０度異なる第２方向に移動させるための第２スイッチと、前記第１方向と１８０度異なる第３方向に移動させるための第３スイッチと、前記第１方向と２７０度異なる第４方向に移動させるための第４スイッチとを含む請求項１に記載のグラフィックオブジェクト移動入力装置。
【請求項３】
前記ボタンスイッチは、前記第１方向と４５度異なる第５方向に移動させるための第５スイッチと、前記第５方向と９０度異なる第６方向に移動させるための第６スイッチと、前記第５方向と１８０度異なる第７方向に移動させるための第７スイッチと、前記第５方向と２７０度異なる第８方向に移動させるための第８スイッチとをさらに含む請求項２に記載のグラフィックオブジェクト移動入力装置。
【請求項４】
前記第１ないし第４スイッチは、前記光学式ポインティング装置を囲むように配置されている請求項２に記載のグラフィックオブジェクト移動入力装置。
【請求項５】
前記ボタンスイッチは、前記光学式ポインティング装置の前記光源が搭載される基板に対して、光源からの光の指への照射方向と反対側の面に設けられている請求項１に記載のグラフィックオブジェクト移動入力装置。
【請求項６】
前記光学式ポインティング装置の前記光源が搭載される基板に対して、光源からの光の指への照射方向と反対側の面に対向する固定板をさらに備え、
前記ボタンスイッチは、前記固定板の前記光学式ポインティング装置側の面に設けられ、
前記光学式ポインティング装置の前記反対側の面に、前記ボタンスイッチを押すための手段を設けた請求項１に記載のグラフィックオブジェクト移動入力装置。
【請求項７】
前記光学式ポインティング装置の前記光源の照射方向側の指による操作表面の周縁に、前記指の滑りを防止する手段を設けた請求項１に記載のグラフィックオブジェクト移動入力装置。
【請求項８】
前記グラフィックオブジェクトは、前記表示画面上の位置を示すポインティングと、前記表示画面上で画面スクロール操作される表示物と、前記表示画面上でメニュー選択されるマトリックス状選択表示物との少なくとも一つを含む請求項１に記載のグラフィックオブジェクト移動入力装置。
【請求項９】
請求項１に記載のグラフィックオブジェクト移動入力装置と、
前記表示画面を表示する表示手段とを備えたことを特徴とする電子機器。
【発明の詳細な説明】
【技術分野】
【０００１】
本発明は、使用者の指の移動に応じて表示画面上を移動表示されるグラフィックオブジェクトを移動させるために、指に光を照射する光源と、指からの反射光を受光する撮像素子とを有して指の移動を検出する光学式ポインティング装置を備えたグラフィックオブジェクト移動入力装置、及びそれを搭載する電子機器に関し、より詳細にはタブレット端末などの情報端末やテレビ、ＰＣ等のリモコンなどに搭載可能なグラフィックオブジェクト移動入力装置、及びそれを搭載する電子機器に関する。
【背景技術】
【０００２】
従来、携帯電話などの携帯情報端末では、キーパッドを利用したユーザーインターフェースを採用しており、このようなキーパッドは数字及び文字を入力するための複数個のボタンと方向ボタンとにより構成されていた。
【０００３】
近年では、携帯情報端末のディスプレイ部にグラフィックを表すことができるようになり、ディスプレイ部を２次元で用いることができるようになっている。このように、携帯情報端末の機能が、コンピュータの機能に近づいて、操作が複雑化している昨今では、キーパッドを用いて所望の機能の動作を行う方法は、複雑化した操作を容易に行うことができないため、携帯情報端末の入力方法として、採用しにくくなっている。このため、コンピュータに用いられているようなマウスやタッチパッドのような操作を可能とするポインティング装置が、携帯情報端末の入力方法として所望されるようになっている。
【０００４】
また、携帯情報端末も種々多様化し、より多くの情報を表示できる画面の大きなタブレット端末も登場している。画面に表示する際の高精細化が進み小さな文字、記号等の表示が可能になってきている。
【０００５】
これらの大型化かつ高精細化した画面を有する携帯情報端末において、この画面に表示された情報の選択や、表示された機能を選択、動作させる際には、より広範囲にポインティングでき、かつ、より高精度にポインティングすることができるポインティング入力装置が求められている。
【０００６】
近年、入力装置としてタッチパネルを利用した携帯電話やＰＤＡ（Personal Digital Assistant）あるいはタブレット端末の携帯情報端末が普及している。
【０００７】
タッチパネルにおいては、画面に表示された情報を選択する際、指のタッチにより選択する。しかしながら、携帯情報端末の画面表示の高精細化によって表示される文字や記号がより小さくなると、指でタッチした際に所望の情報を選択することが非常に困難になってきている。
【０００８】
表示される文字や記号が小さいため所望の情報を指で選択した際に隣接する異なる情報を誤って選択してしまうことが発生する。指でタッチした際の誤選択を防止するために、タッチパネルに拡大ボタンや二本の指を広げることにより画面を拡大するズームと言った機能を設け、誤選択を防止している。しかしながら、選択する度に拡大する操作が必要であり非常に煩わしい。
【０００９】
上記のごとくタッチパネルにおいては、高精細化した画面で高精度なポインティングをするためには操作が煩雑になる。
【００１０】
また、テレビにおいても従来の放送を表示するためのみでなく、インターネット接続するなどして、多くの情報を表示する機能も搭載されてきている。またテレビの画面表示も大画面化とともに高精細化が進み画面に表示される文字や記号がより小さくなっている。
【００１１】
従って、携帯情報端末と同様、テレビにおいてもより広範囲にポインティングすることができ、かつ、より高精度にポインティングすることができるポインティング入力装置が求められている。
【００１２】
このような背景において、高精度なポインティングができるポインティング入力装置として、表示装置に接触する指先等の模様を撮像素子で観察することで、接触する指先面の変化を抽出する方法が提案されている。また、光源により接触する指先面を照明し、接触面の模様をレンズで撮像素子に結像させて、模様の変化を検出することで、指先の動きを入力信号に変換する方法を使用する光学式ポインティング装置が提案されている。
【００１３】
例えば、このような光学式ポインティング装置としては、特許文献１に記載されているものがある。
【００１４】
この光学式ポインティング装置は、カバーガラス、光源部、および受光部から構成されている。光源部は、光源、および、その上部に配置された複数の反射ミラーからなる光源ガイドに分けられる。光源から発光した光は、反射ミラーにより所定の角度に反射され、カバーガラスに照射されるようになっている。カバーガラスに照射された光は、指の表面により反射されるようになおり、指の表面で反射した光は受光部に照射されるようになっている。受光部は、反射ミラー、集光レンズ、および、光イメージセンサで構成されている。反射ミラーにて反射された光が、集光レンズで結像されて、光イメージセンサに提供されるようになっている。
【００１５】
また、更なる光学式ポインティング装置としては、特許文献２に記載されているものがある。
【００１６】
この光学式ポインティング装置は、被写体に光を照射する光源と、被写体に接触する接触面が形成されたカバー部と、被写体により反射された光を検出する受光部と、被写体により反射された光を受光部に導光する光学部材とから構成されている。
【先行技術文献】
【特許文献】
【００１７】
【特許文献１】特表２００８−５０７７８７号公報（２００８年３月１３日公表）
【特許文献２】特開２００９−１７６２７１号公報（２００９年８月６日公開）
【特許文献３】特開２００８−２５０４７２号公報（２００８年１０月１６日公開）
【発明の概要】
【発明が解決しようとする課題】
【００１８】
前述の通り高精度なポインティングが可能になる光学式ポインティング装置が提案されている。しかしながら、特許文献１及び２に開示される光学式ポインティング装置は、指で操作するため、一回で操作できるポインティング操作時の画面上での移動距離は限られる。このため、携帯情報端末やテレビなどの大きな画面上でポインティングを大きく移動したい場合は、光学式ポインティング装置の上で指によるポインティング操作を何度も繰り返す必要があり、広範囲にポインティングする操作が煩雑であるという問題がある。
【００１９】
光学式ポインティング装置の上での指によるポインティング操作の回数を減らすためには、光学式ポインティング装置において指の移動に対する画面上のポインティングの移動量の設定を大きくすることにより、画面上でのより大きな移動が可能になり指でのポインティング操作の回数を減らすことは可能になる。しかしながら、逆に、指の操作に対する画面上の移動量が大きいために高精度なポインティングがし辛くなるという問題が生じる。
【００２０】
このように、光学式ポイティング装置においては、広範囲かつ高精度なポインティングの実現に課題がある。この課題は、カーソルのような表示画面上の位置を示すポインティングのみならず、例えば地図のように表示画面上で画面スクロール操作される表示物、及び、表示画面上でメニュー選択されるマトリックス状選択表示物等のグラフィックオブジェクトについても同様に生じる。
【００２１】
以上の点を鑑みて、本発明の目的は、広範囲で高精度にグラフィックオブジェクトを移動させることができるグラフィックオブジェクト移動入力装置及びそれを搭載する電子機器を提供することにある。
【課題を解決するための手段】
【００２２】
上記の課題を解決するために、本発明に係るグラフィックオブジェクト移動入力装置は、使用者の指の移動に応じて表示画面上を移動表示されるグラフィックオブジェクトを移動させるために、前記指に光を照射する光源と、前記指からの反射光を受光する撮像素子とを有して前記指の移動を検出する光学式ポインティング装置と、前記グラフィックオブジェクトを表示画面上で移動させるためのボタンスイッチと、前記ボタンスイッチの押下に応じて、前記光学式ポインティング装置により検出された指の移動に基づく前記グラフィックオブジェクトの表示画面上での移動距離よりも長い距離だけ前記グラフィックオブジェクトを表示画面上で移動させる制御手段とを備えたことを特徴とする。
【００２３】
この特徴によれば、前記ボタンスイッチの押下に応じて、前記光学式ポインティング装置により検出された指の移動に基づく前記グラフィックオブジェクトの表示画面上での移動距離よりも長い距離だけ前記グラフィックオブジェクトを表示画面上で移動させるので、光学式ポインティング装置による指でのポインティング操作を何度も繰り返さなくても、ボタンスイッチの押下により、広範囲で高精度にグラフィックオブジェクトを移動させることができる。
【００２４】
本発明に係るグラフィックオブジェクト移動入力装置では、前記ボタンスイッチは、前記グラフィックオブジェクトを表示画面上の第１方向に移動させるための第１スイッチと、前記第１方向と９０度異なる第２方向に移動させるための第２スイッチと、前記第１方向と１８０度異なる第３方向に移動させるための第３スイッチと、前記第１方向と２７０度異なる第４方向に移動させるための第４スイッチとを含むことが好ましい。
【００２５】
上記構成により、上下左右の４方向について、光学式ポインティング装置による指でのポインティング操作を何度も繰り返さなくても、ボタンスイッチの押下により、広範囲で高精度にグラフィックオブジェクトを移動させることができる。
【００２６】
本発明に係るグラフィックオブジェクト移動入力装置では、前記ボタンスイッチは、前記第１方向と４５度異なる第５方向に移動させるための第５スイッチと、前記第５方向と９０度異なる第６方向に移動させるための第６スイッチと、前記第５方向と１８０度異なる第７方向に移動させるための第７スイッチと、前記第５方向と２７０度異なる第８方向に移動させるための第８スイッチとをさらに含むことが好ましい。
【００２７】
上記構成により、上下左右方向のみならず、斜め方向についても、光学式ポインティング装置による指でのポインティング操作を何度も繰り返さなくても、ボタンスイッチの押下により、広範囲で高精度にグラフィックオブジェクトを移動させることができる。
【００２８】
本発明に係るグラフィックオブジェクト移動入力装置では、前記第１ないし第４スイッチは、前記光学式ポインティング装置を囲むように配置されていることが好ましい。
【００２９】
上記構成により、光学式ポインティング装置と第１ないし第４スイッチとの間の距離が近くなるので、光学式ポインティング装置からスイッチへの指の移動量を減らすことができる。
【００３０】
本発明に係るグラフィックオブジェクト移動入力装置では、前記ボタンスイッチは、前記光学式ポインティング装置の前記光源が搭載される基板に対して、光源からの光の指への照射方向と反対側の面に設けられていることが好ましい。
【００３１】
上記構成により、光学式ポインティング装置の光源が搭載される基板に対して、光源からの光の指への照射方向と反対側の面にボタンスイッチを配置するので、大きなサイズのボタンスイッチを設ける必要がなくなり、グラフィックオブジェクト移動入力装置を小型化することができる。また、光学式ポインティング装置の上に置いた指を離すことなくボタンスイッチを作動させることができるため、より直観的でスムーズなグラフィックオブジェクトの移動が可能になる。
【００３２】
本発明に係るグラフィックオブジェクト移動入力装置では、前記光学式ポインティング装置の前記光源が搭載される基板に対して、光源からの光の指への照射方向と反対側の面に対向する固定板をさらに備え、前記ボタンスイッチは、前記固定板の前記光学式ポインティング装置側の面に設けられ、前記光学式ポインティング装置の前記反対側の面に、前記ボタンスイッチを押すための手段を設けることが好ましい。
【００３３】
上記構成により、固定板の光学式ポインティング装置側の面にボタンスイッチを設けるので、大きなサイズのボタンスイッチを設ける必要がなくなり、グラフィックオブジェクト移動入力装置を小型化することができる。
【００３４】
本発明に係るグラフィックオブジェクト移動入力装置では、前記光学式ポインティング装置の前記光源の照射方向側の指による操作表面の周縁に、前記指の滑りを防止する手段を設けることが好ましい。
【００３５】
上記構成により、光学式ポインティング装置状を指が動くときに指が滑ることなく動作させることが可能になるため、グラフィックオブジェクトのより確実な移動が可能になる。
【００３６】
本発明に係るグラフィックオブジェクト移動入力装置では、前記グラフィックオブジェクトは、前記表示画面上の位置を示すポインティングと、前記表示画面上で画面スクロール操作される表示物と、前記表示画面上でメニュー選択されるマトリックス状選択表示物との少なくとも一つを含むことが好ましい。
【００３７】
上記構成により、光学式ポインティング装置による指でのポインティング操作を何度も繰り返さなくても、ボタンスイッチの押下により、表示画面上の位置を示すポインティングと、表示画面上で画面スクロール操作される表示物と、表示画面上でメニュー選択されるマトリックス状選択表示物との少なくとも一つを広範囲で高精度に移動させることができる。
【００３８】
本発明に係る電子機器は、本発明に係るグラフィックオブジェクト移動入力装置と、前記表示画面を表示する表示手段とを備えたことを特徴とする。
【発明の効果】
【００３９】
本発明に係るグラフィックオブジェクト移動入力装置は、前記ボタンスイッチの押下に応じて、前記光学式ポインティング装置により検出された指の移動に基づく前記グラフィックオブジェクトの表示画面上での移動距離よりも長い距離だけ前記グラフィックオブジェクトを表示画面上で移動させるので、光学式ポインティング装置による指でのポインティング操作を何度も繰り返さなくても、ボタンスイッチの押下により、広範囲で高精度にグラフィックオブジェクトを移動させることができる。また、よりスムーズな入力が可能で小型化されたグラフィックオブジェクト移動入力装置が提供可能になる。
【図面の簡単な説明】
【００４０】
【図１】実施の形態１に係るタブレット端末の構成を示すブロック図である。
【図２】上記タブレット端末の正面図である。
【図３】上記タブレット端末の動作を説明するための図である。
【図４】上記タブレット端末の他の動作を説明するための図である。
【図５】実施の形態２に係るタブレット端末に設けられた光学式ポインティング装置とスイッチとの配置を示す図である。
【図６】実施の形態１及び２に係る光学式ポインティング装置の構成を示す断面図である。
【図７】実施の形態３に係るタブレット端末に設けられた光学式ポインティング装置の構成を示す断面図である。
【図８】上記光学式ポインティング装置の動作を示す断面図である。
【図９】実施の形態４に係るタブレット端末に設けられた光学式ポインティング装置の構成を示す断面図である。
【図１０】実施の形態５に係るタブレット端末に設けられた光学式ポインティング装置の構成、動作を示す断面図である。
【発明を実施するための形態】
【００４１】
以下、本発明の実施の形態に係るタブレット端末について、詳細に説明する。
【００４２】
（実施の形態１）
（タブレット端末１５の構成）
図１は、実施の形態１に係るタブレット端末１５の構成を示すブロック図である。図２は、タブレット端末１５の正面図である。
【００４３】
タブレット端末１５は、情報を表示する表示画面９を有するディスプレイ１６を備えている。タブレット端末１５には、使用者の指８の移動に応じて、表示画面９上のポインティング座標を示すカーソル１０を移動させるためのグラフィックオブジェクト移動入力装置１が設けられている。
【００４４】
グラフィックオブジェクト移動入力装置１は、表示画面９の右隣に配置され、使用者の指８を載せてその移動を検出する光学式ポインティング装置２を備えている。表示画面９の右隣であって光学式ポインティング装置２の下側には、ボタンスイッチ部３が設けられている。ボタンスイッチ部３は、カーソル１０を上方向に大きく移動させるためのスイッチ７ａと、カーソル１０を左方向に大きく移動させるためのスイッチ７ｂと、カーソル１０を右方向に大きく移動させるためのスイッチ７ｃと、カーソル１０を下方向に大きく移動させるためのスイッチ７ｄとを含む。スイッチ７ａ〜７ｄ（第１スイッチ〜第４スイッチ）は、縦方向に一列に配置されている。
【００４５】
グラフィックオブジェクト移動入力装置１には、マイコン４が設けられている。マイコン４は、光学式ポインティング装置２から出力された信号を取り込み、信号処理した後、表示画面９上に表示されたカーソル１０を移動させる。そして、マイコン４は、スイッチ７ａ、７ｂ、７ｃ、または７ｄの押下に応じて、光学式ポインティング装置２により検出された指８の移動に基づくカーソル１０の表示画面９上での移動距離よりも長い距離だけカーソル１０を表示画面９上で移動させる。
【００４６】
（グラフィックオブジェクト移動入力装置１の動作）
光学式ポインティング装置２の上で指８をスライドすると、光学ポインティング装置２からは指８の動きに応じた２次元座標の変位量（ΔX、ΔY）が出力される。その変位量の出力がマイコン４に読み込まれ、カーソル１０の座標、及びカーソル１０の表示を更新する。それにより、使用者の指８の移動に応じてカーソル１０の位置を移動させることができる。
【００４７】
また、ボタンスイッチ部３のスイッチ７ａ〜７ｄを押すことにより、カーソル１０の座標を、上下左右に移動できる。このとき、スイッチ７ａ〜７ｄによるカーソル１０の移動距離は、前述の光学式ポインティング装置２において指８の一回のスライドでカーソル１０が移動する距離よりも十分大きくなるように（本実施の形態ではおよそ２倍）設定している。
【００４８】
図３は、タブレット端末１５の動作を説明するための図である。図４は、タブレット端末１５の他の動作を説明するための図である。
【００４９】
図３には、光学式ポイティング装置２のみでカーソル１０を移動させる場合の動作が示されている。光学式ポイティング装置２において一回の指８のスライドで移動可能な距離は、範囲１７の半径に相当する距離である。カーソル１０を表示画面９の右端の位置２０に移動させる場合、一回の指８のスライドでカーソル１０が移動する量を矢印で示す移動量１８とすると、位置２０の近くまでカーソル１０が移動するには、図３に示すように、指８のスライドが４回必要である。カーソル１０の位置の詳細な調整は、光学式ポイティング装置２上においた指８のスライドによって行う。
【００５０】
図４には、本実施の形態に係るボタンスイッチ３のスイッチ７ａ〜７ｄを使用した場合の動作を示す。カーソル１０を位置２０に移動させる時、右方向に移動させるためのスイッチ７ｃを押すとカーソル１０を右方向に移動させることができる。スイッチ７ｃを一回押すことによってカーソル１０が移動する移動量１９は移動量１８の２倍に設定しているので、位置２０にカーソル１０が移動するには、スイッチ７ｃを２回押すことで移動できる。カーソル１０の位置の詳細な調整は、同様に光学式ポイティング装置２上の指８のスライドによって行う。
【００５１】
上記の通り、本実施の形態によれば、ポインティングを大きく移動させる場合に光学式ポインティング装置上の指のスライドを何度も繰り返す必要がなく、スイッチを押すことのみで大きく移動させることができる。
【００５２】
なお、前述した実施の形態では、タブレット端末の表示画面のカーソルを移動させる例を示したが、本発明はこれに限定されない。例えば、地図のように、表示画面上で画面スクロール操作される表示物に対する操作にも本発明を適用することができる。また、表示画面上でメニュー選択されるマトリックス状選択表示物の操作にも本発明を適用することができる。そして、表示画面は、タブレット端末に設けられた表示画面のみならず、コンピュータの表示画面でもよいし、テレビジョン装置の表示画面であってもよい。後述する実施の形態も同様である。
【００５３】
（実施の形態２）
図５は、実施の形態２に係るタブレット端末に設けられた光学式ポインティング装置２とスイッチ７ａ〜７ｄ（第１スイッチ〜第４スイッチ）との配置を示す図であり、ポインティングを上下左右の４方向に移動可能なボタンスイッチ部３の配置例を示す。
【００５４】
スイッチ７ａは光学式ポインティング装置２の上側に隣接して配置され、スイッチ７ｂは左側に隣接して配置されている。スイッチ７ｃは光学式ポインティング装置２の右側に隣接して配置され、スイッチ７ｄは下側に隣接して配置されている。このように、上下左右の４方向のスイッチ７ａ〜７ｄは、光学式ポインティング装置２に隣接し、かつ取り囲むように４方向に配置されている。その他の構成は、実施の形態１と同様である。
【００５５】
前述した図２に示す構成では、光学式ポインティング装置２の上で指８のスライドを実施している状態からカーソル１０を大きく動かしたい場合、光学式ポインティング装置２がボタンスイッチ部３と離れているので、光学式ポインティング装置２からボタンスイッチ部３への指８の移動量が大きくなり操作が煩雑になる。
【００５６】
図５に示す本構成によれば、光学式ポインティング装置２とスイッチ７ａ〜７ｄとの間の距離が短くなるため指８の移動量を減らすことができ、また、カーソル１０を移動したい方向に上下左右方向のスイッチ７ａ〜７ｄがあるため、直観的でスムーズなボタンスイッチ部３の使用が可能になる。
【００５７】
図５に示す例では上下左右の４方向のスイッチを設けたが、上下左右に斜め方向を加えた８方向のスイッチ（第１スイッチ〜第８スイッチ）を設けてもよい。これにより上下左右の移動のみでなく、斜め方向にも大きく移動できるので、より直観的で、よりスムーズなカーソルの移動が可能になる。
【００５８】
（実施の形態３）
（光学式ポインティング装置２の構成）
図６は、光学式ポインティング装置２の構成を示す断面図であり、実施の形態１及び２で前述した光学式ポインティング装置２の詳細な構成を示している。
【００５９】
光学式ポインティング装置２は、基板２１を備えている。基板２１の表面には、光源である発光素子５、および撮像素子であるイメージセンサ６が搭載されている。イメージセンサ６の上方にはレンズ２２が設けられている。それら基板２１、発光素子５、イメージセンサ６、及びレンズ２２は、カバー２３により覆われている。
【００６０】
発光素子５から出射した光Ｌはカバー２３の表面に届く。カバー２３の表面上には被写体としての指８があり、その表面で反射した光Ｌがレンズ２２で集光されイメージセンサ６に結像する。結像した画像の変化を検出することで、指８の動きを電気信号に変換する。
【００６１】
基板２１の裏面には電気信号をとりだすための図示しない電極が設けられ、フレキシブルプリント基板２４と電気的に接続されている。フレキシブルプリント基板２４の裏面には図示しない２つの電極が設けられている。そして、フレキシブルプリント基板２４の裏面には金属ドーム２５、保護シート２６からなるシートスイッチ２７が貼り付けられている。
【００６２】
金属ドーム２５はドーム状の形をしており、周辺部がフレキシブルプリント基板２４の裏面の１つの電極と接触しており、電気的に導通状態である。金属ドーム２５はもう一つの電極とは非接触であり電気的に非導通状態である。その下には、光学式ポインティング装置２を組み込む電子機器の基板等である固定板１２が設けられている。固定板１２の光学式ポインティング装置２側の表面には金属ドーム２５を押すための押し子１３が設けられている。
【００６３】
（光学式ポインティング装置２の動作）
光学式ポインティング装置２のカバー２３上で指８をスライドすると、光学ポインティング装置２からは指８の動きに応じた２次元座標の変位量（ΔX、ΔY）が出力される。その変位量の出力がマイコン４（図１）に読み込まれ、カーソル１０（図２）の座標、及びカーソル１０の表示を更新する。それにより、使用者の指８の移動に応じてカーソル１０の位置を移動することができる。
【００６４】
このようにして、指８でメニューキーおよびその他の機能キーを選択した後、決定するため光学式ポインティング装置２を押すと、フレキシブルプリント基板２４と押し子１３の間に挟まれたシートスイッチ２７の金属ドーム２５が平たく変形し、フレキシブルプリント基板２４の裏面のもう一つの電極と接触する。これにより金属ドーム２５の周辺部が接触していた電極とも接触することになり、電気的接触状態になる。電子機器においてこの導通状態を検出して決定信号を発生する。
【００６５】
指８が光学式ポインティング装置２を押すのをやめるとシートスイッチ２７の金属ドーム２５はドーム状に復帰し、もうひとつの電極とは再び非接触状態になり非導通状態に戻る。
【００６６】
図７は、実施の形態３に係るタブレット端末に設けられた光学式ポインティング装置２ａの構成を示す断面図である。前述した構成要素と同一の構成要素には同一の参照符号を付している。これらの構成要素の詳細な説明は繰り返さない。
【００６７】
実施の形態３では、図６に示す光学式ポインティング装置２にある決定のためのシートスイッチ２７の代わりに、決定のための金属ドーム２８ａ、ポインティング移動のための金属ドーム２８ｂを配置する構成とした。
【００６８】
フレキシブルプリント基板２４の基板２１の反対側の面１１には、金属ドーム２８ａが設けられている。金属ドーム２８ａの上下左右方向に金属ドーム２８ａを囲むように、４つの金属ドーム２８ｂが設けられている（図７は断面図であるため２個のみ表記）。金属ドーム２８ａ、及び４つの金属ドーム２８ｂを覆うように保護シート２９が設けられている。
【００６９】
このように、ボタンスイッチ（金属ドーム２８ｂ、保護シート２９）は、光学式ポインティング装置２ａの発光素子５が搭載される基板２１に対して、発光素子５からの光Ｌの指への照射方向と反対側の面１１に設けられている。
【００７０】
図８は、光学式ポインティング装置２ａの動作を示す断面図である。図８には、光学式ポインティング装置２ａにおいて、ポインティング移動のためにシートスイッチを動作させた状態の断面図を示す。
【００７１】
光学式ポインティング装置２ａを使用している状態から、大きくポインティング移動をする場合、ポインティング装置２ａを傾けることによってシートスイッチ（金属ドーム２８ｂ）を作動させることができる。このため、光学式ポインティング装置の表面から指を離すことなくボタンスイッチを押して、大きくポインティング移動をすることが可能になる。
【００７２】
このように、光学式ポインティング装置２ａの裏面にボタンスイッチ（金属ドーム２８ｂ）を配置するので、大きなサイズのボタンスイッチを設ける必要がなくなる。このため、光学式ポインティング入力装置２ａの小型化に有利である。
【００７３】
また、光学式ポインティング装置２ａの上に置いた指を離すことなくボタンスイッチを作動することが可能になるため、より直観的で、よりスムーズなポインティングの移動が可能になる。
【００７４】
（実施の形態４）
（光学式ポインティング装置２ｂの構成及び動作）
図９は、実施の形態４に係るタブレット端末に設けられた光学式ポインティング装置２ｂの構成を示す断面図である。前述した構成要素と同一の構成要素には同一の参照符号を付している。これらの構成要素の詳細な説明は繰り返さない。
【００７５】
光学式ポインティング装置２ｂは、ポインティング移動のためボタンスイッチ(シートスイッチ（金属ドーム２８ｂ）)を固定板１２に設け、光学式ポインティング装置２ｂのフレキシブルプリント基板２４の裏面にはボタンスイッチを押すための押し子１３を設けている。固定板１２に設けられた押し子１３の上下左右方向を囲むように４つの金属ドーム２８ｂが設けられており、各金属ドーム２８ｂを覆うように保護シート３０ｂが設けられている。
【００７６】
このように、光学式ポインティング装置２ｂの発光素子５が搭載される基板２１に対して、発光素子５からの光Ｌの指への照射方向と反対側の面に対向する固定板１２を設け、ボタンスイッチ（金属ドーム２８ｂ、保護シート３０ｂ）は、固定板１２の光学式ポインティング装置２ｂ側の面に設けられ、光学式ポインティング装置２ｂの前記反対側の面に、ボタンスイッチ（金属ドーム２８ｂ、保護シート３０ｂ）を押すための押し子１３を設けている。
【００７７】
このボタンスイッチを作動させるには、図８で前述したように、光学式ポインティング装置２ｂを傾ければよい。
【００７８】
実施の形態４では、ポインティング移動のためボタンスイッチ(シートスイッチ)を固定板１２に設けるため、光学式ポインティング装置２ｂのフレキシブルプリント基板２４の裏面には押し子１３を設けるのみで前述した図８に示す動作と同じ動作が可能になる。このため光学式ポインティング装置のサイズを小さくすることが可能になり、光学式ポインティング装置の小型化に有利である。
【００７９】
近年のタブレット端末などの携帯情報端末においては、画面の拡大が進むなかで、画面の周辺部(額縁部分)の面積を小さくする傾向にあり、周辺デバイスの小型化を求められている。本実施の形態に示すポインティング入力装置の小サイズ化は上記観点から非常に有利である。
【００８０】
また、テレビの情報選択のためのリモコンにポインティング機能を設ける例も見られる。テレビのリモコン端末においては機能の増加によりボタンの数も増加している。実施の形態に係るポインティング入力装置をリモコン端末に搭載すると、リモコン端末のボタン数を削減でき、また、リモコン端末を小サイズ化するために有利である。
【００８１】
（実施の形態５）
（光学式ポインティング装置２ｃの構成及び動作）
図１０は、実施の形態５に係るタブレット端末に設けられた光学式ポインティング装置２ｃの構成、動作を示す断面図である。前述した構成要素と同一の構成要素には同一の参照符号を付している。これらの構成要素の詳細な説明は繰り返さない。
【００８２】
実施の形態５では、光学式ポインティング装置２ｃのカバー２３の上面の周辺部に指８の滑りを防止するための突起１４を設けている。前述の通り、ポインティング移動のための光学式ポインティング装置２ｃを傾けてボタンスイッチ(シートスイッチ)を作動させるが、傾けた際に指８が光学式ポインティング装置２ｃのカバー２３の上面を滑る恐れがある。指８が滑ることにより、光学式ポインティング装置２ｃが指８の移動を検知するため、ポインティング（座標）がずれてしまう可能性がある。上記滑りを防止するために光学式ポインティング装置２ｃのカバー２３の上面の周辺部に突起１４を設けた。
【００８３】
このように、光学式ポインティング装置２ｃのカバー２３における発光素子５の照射方向側の指による操作表面の周縁に、指の滑りを防止する突起１４が設けられている。
【００８４】
（光学式ポインティング装置２ｃの効果）
光学式ポインティング装置２ｃのカバー２３の指による操作表面の周辺部に突起１４を設けることにより、ポインティング移動の際に指８が滑ることなくカーソルを移動させることが可能になるため、より確実なポインティングが可能になる。
【００８５】
本実施の形態では滑り止めのために突起１４を設けたが、突起１４に限定するものではない。滑り止めの効果を持つ塗装、模様などを設けてもよい。光学式ポインティング装置２ｃのカバー２３の指による操作表面の中央部は指８で操作するために滑り易くすることが望ましい。
【００８６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００８７】
本発明は、使用者の指の移動に応じて表示画面上を移動表示されるグラフィックオブジェクトを移動させるために、指に光を照射する光源と、指からの反射光を受光する撮像素子とを有して指の移動を検出する光学式ポインティング装置を備えたグラフィックオブジェクト移動入力装置、及びそれを搭載する電子機器に利用することができる。
【符号の説明】
【００８８】
１  グラフィックオブジェクト移動入力装置
２  光学式ポインティング装置
３  ボタンスイッチ部（ボタンスイッチ）
４  マイコン（制御部）
５  発光素子（光源）
６  イメージセンサ（撮像素子）
７ａ〜７ｄ  スイッチ（第１スイッチ〜第４スイッチ）
８  指
９  表示画面
１０  カーソル
１１  面
１２  固定板
１３  押し子
１４  突起（滑り防止手段）
１５  タブレット端末（電子機器）
１６  ディスプレイ（表示手段）
１７  範囲
１８、１９  移動量
２０  位置
２１  基板
２２  レンズ
２３  カバー
２４  フレキシブルプリント基板
２５、２８ａ〜２８ｂ  金属ドーム
２６、２９、３０ａ〜３０ｂ  保護シート
２７  シートスイッチ
【図１】
2013191101.tif 000003
【図２】
2013191101.tif 000004
【図３】
2013191101.tif 000005
【図４】
2013191101.tif 000006
【図５】
2013191101.tif 000007
【図６】
2013191101.tif 000008
【図７】
2013191101.tif 000009
【図８】
2013191101.tif 000010
【図９】
2013191101.tif 000011
【図１０】
2013191101.tif 000012